(57)【要約】【課題】  簡単な構成で大型の浴槽でなくても微細気泡発生装置を配置できる。気液溶解タンクの出口部と噴出口とを接続する配管が必要でない。【解決手段】  微細気泡発生装置８を備えた微細気泡発生装置付き浴槽である。浴槽２の上端部外周に設けたフランジ部９の長辺と短辺とのなすコーナ部分の下方のコーナ空間１０に、気液溶解タンク７が短辺寄りの奥側に、ポンプ６が長辺寄りの手前側となるように配置する。短辺寄りの奥側に配置した気液溶解タンク７の出口部１１を奥側に突出させ、出口部１１を浴槽２の短辺側の壁部１２に設けた噴出口３に直結する。【選択図】図１
2007296236.tif 000002
【特許請求の範囲】
【請求項１】
一端部の吸込み口から浴槽内の湯水を吸い込んで他端の噴出口から噴出する循環流路に、空気混入部、ポンプ、気液溶解タンクを設けて微細気泡を発生して循環流路の端部の噴出口から浴槽内に噴出するようにした微細気泡発生装置を備えた微細気泡発生装置付き浴槽において、浴槽の上端部外周に設けたフランジ部の長辺と短辺とのなすコーナ部分の下方のコーナ空間に、気液溶解タンクが短辺寄りの奥側に、ポンプが長辺寄りの手前側となるように配置し、短辺寄りの奥側に配置した気液溶解タンクの出口部を奥側に突出させると共に、該出口部を浴槽の短辺側の壁部に設けた噴出口に直結して成ることを特徴とする微細気泡発生装置付き浴槽。
【請求項２】
浴槽の短辺側の壁部に設けた噴出口を、短辺側の巾方向のセンターよりも気液溶解タンク側にずらして成ることを特徴とする請求項１記載の微細気泡発生装置付き浴槽。
【発明の詳細な説明】
【技術分野】
【０００１】
本発明は、微細気泡発生装置付き浴槽に関するものである。
【背景技術】
【０００２】
従来から、一端部の吸込み口から浴槽内の湯水を吸い込んで他端の噴出口から噴出する循環流路に、空気混入部、ポンプ、気液溶解タンクを設けて微細気泡を発生して循環流路の端部の噴出口から浴槽内に噴出するようにした微細気泡発生装置を備えた微細気泡発生装置付き浴槽が知られている。
【０００３】
微細気泡発生装置は浴槽のフランジ部の下方の空間に配置するようになっているが、ポンプ、気液溶解タンクは容量が比較的大きいので、従来は、大型の浴槽、つまり、フランジ部の巾が大きい浴槽にしか設けることができなかった。
【０００４】
そこで、浴槽の上端部外周に設けたフランジ部は長辺と短辺とのなすコーナ部分が最も巾が広いので、この浴槽の上端部外周に設けたフランジ部の長辺と短辺とのなすコーナ部分の下方のコーナ空間にポンプと気液溶解タンクとを配置することで、フランジ部の巾が比較的小さな浴槽においてもポンプ、気液溶解タンクをフランジ部の下方空間に配置することができて、小型の浴槽に微細気泡発生装置を備えることを可能とするものが特許文献１により知られている。
【０００５】
しかしながら、上記特許文献１に示された従来例にあっては、噴出口、吸い込み口のいずれも浴槽の長辺側の側壁に設けてあり、吸い込み口とポンプとを配管で接続するだけでなく、気液溶解タンクの出口部と噴出口とを配管により接続しなければならず、配管長さが長くなり、コストがアップし、配管作業も面倒となるという問題がある。
【特許文献１】特開２００５−９５３３６号公報
【発明の開示】
【発明が解決しようとする課題】
【０００６】
本発明は上記の従来の問題点に鑑みて発明したものであって、簡単な構成で大型の浴槽でなくても微細気泡発生装置を設けることができ、また、気液溶解タンクの出口部と噴出口とを接続する配管が必要でない微細気泡発生装置付き浴槽を提供することを課題とするものである。
【課題を解決するための手段】
【０００７】
上記課題を解決するために本発明に係る微細気泡発生装置付き浴槽は、一端部の吸込み口１から浴槽２内の湯水を吸い込んで他端の噴出口３から噴出する循環流路４に、空気混入部５、ポンプ６、気液溶解タンク７を設けて微細気泡を発生して循環流路４の端部の噴出口３から浴槽２内に噴出するようにした微細気泡発生装置８を備えた微細気泡発生装置付き浴槽において、浴槽２の上端部外周に設けたフランジ部９の長辺と短辺とのなすコーナ部分の下方のコーナ空間１０に、気液溶解タンク７が短辺寄りの奥側に、ポンプ６が長辺寄りの手前側となるように配置し、短辺寄りの奥側に配置した気液溶解タンク７の出口部１１を奥側に突出させると共に、該出口部１１を浴槽２の短辺側の壁部１２に設けた噴出口３に直結して成ることを特徴とするものである。
【０００８】
このように浴槽２の上端部外周に設けたフランジ部９の長辺と短辺とのなすコーナ部分の下方のコーナ空間１０に、気液溶解タンク７とポンプ６とを配置するので、フランジ部９の最も巾が広い部分の下方空間に気液溶解タンク７とポンプ６とを配置できて、大型の浴槽２でなくとも微細気泡発生装置付きの浴槽を提供できる。しかも、フランジ部９のコーナ部分の下方のコーナ空間１０に、気液溶解タンク７が短辺寄りの奥側に、ポンプ６が長辺寄りの手前側となるように配置し、短辺寄りの奥側に配置した気液溶解タンク７の出口部１１を奥側に突出させると共に、該出口部１１を浴槽２の短辺側の壁部１２に設けた噴出口３に直結するので、気液溶解タンク７の出口部１１と噴出口３とを接続する配管が必要でない。
【０００９】
また、浴槽２の短辺側の壁部１２に設けた噴出口３を、短辺側の巾方向のセンターよりも気液溶解タンク７側にずらすことが好ましい。
【００１０】
このように短辺側においてフランジ部９の巾の最も狭いところである短辺側の巾方向のセンターを避けて噴出口３を気液溶解タンク７側にずらすことで、出口部１１に噴出口３を接続した状態で、気液溶解タンク７をコーナ空間１０のより広い所に位置するように手前側にできるだけずらして配置することが可能となり、これにより更に小型の浴槽２であっても微細気泡発生装置付きの浴槽とすることができる。
【発明の効果】
【００１１】
本発明は、上記のように構成したので、フランジ部のコーナ部分の下方のコーナ空間に、気液溶解タンクとポンプとを配置したので、簡単な構成で大型の浴槽でなくても微細気泡発生装置付きの浴槽とすることができ、また、短辺寄りの奥側に配置した気液溶解タンクの出口部を奥側に突出させると共に出口部を浴槽の短辺側の壁部に設けた噴出口に直結するので、気液溶解タンクの出口部と噴出口とを接続する配管が必要でなく、配管長さが短く、低コストで構造も簡略化できる。
【発明を実施するための最良の形態】
【００１２】
以下、本発明を添付図面に示す実施形態に基いて説明する。
【００１３】
図１〜図３には本発明の微細気泡発生装置付き浴槽の一実施形態が示してあり、図１は平面図であり、図２は洗い場側から見た正面図であり、図３は側面図である。
【００１４】
浴槽２の長辺側の壁部１３に吸込み口１が設けてあり、浴槽２の短辺側の壁部１２に噴出口３が設けてある。上記浴槽２に設けた吸込み口１と噴出口３とが循環流路４で連通接続してあり、該循環流路４に吸込み口１から噴出口３にかけて順に空気混入部５、ポンプ６、気液溶解タンク７を設けて微細気泡発生装置８が構成してある。
【００１５】
空気混入部５はエゼクタ構造となっており、このエゼクタ構造部分に空気吸込み管１４の下端が接続してあり、空気吸込み管１４の上端部が空気吸込み部１５となっていている。
【００１６】
一般に、浴槽２の壁部は角がないように平面視でコーナ部分が弧状をしており、一方、フランジ部９の外側の３辺（つまり、２つの短辺側の外側縁及び１つの長辺側の外側縁）が壁（壁パネル）に沿うため直線状となり、残りの外側の１辺（つまり洗い場に沿った長辺側の外側縁）も洗い場に沿うため基本的には直線状となっており（なお、図１のように中央部分のみ平面視で緩やかな曲線となっているものもある）、このため、フランジ部９の外側の四隅部は平面視直角（つまり、長辺側の外側縁と短辺側の外側縁とが直角の関係となっている）となっている。このため、フランジ部９の巾はコーナ部分が最も巾広になっており、したがって、フランジ部９の下方の空間のうち、上記最も巾広となったフランジ部９のコーナ部分の下方のコーナ空間１０が最も広い空間となっている。
【００１７】
本発明においては、このフランジ部９の下方空間のうち最も広い空間である長辺と短辺とのなすコーナ部分の下方のコーナ空間１０に、微細気泡発生装置８の主要部となる空気混入部５、ポンプ６、気液溶解タンク７がまとめて配置してある。ここで、コーナ空間１０は浴槽２の外周の四隅にそれぞれ存在するが、この４つのコーナ空間１０のうち洗い場側には左右２つのコーナ空間１０が存在し、この洗い場側に位置する左右２つのコーナ空間１０のうちのいずか一方のコーナ空間１０に微細気泡発生装置８の主要部となる空気混入部５、ポンプ６、気液溶解タンク７を配置する。
【００１８】
浴槽２のフランジ部９の長辺と短辺とのなすコーナ部分の下方のコーナ空間１０に空気混入部５、ポンプ６、気液溶解タンク７を配置するに当って本発明においては以下のように配置してある。
【００１９】
すなわち、気液溶解タンク７をコーナ空間１０の短辺寄りの奥側に配置し、ポンプ６をコーナ空間１０の長辺寄りの手前側となるように配置してある（ここで洗い場側を手前側、洗い場側と反対側を奥側という）。この場合、洗い場側から見て（図１の矢印Ａ方向から見て）気液溶解タンク７とポンプ６が完全に重複することなく、図２に示すように左右方向（フランジ部９の長辺と平行な方向）にずれるように配置してある。
【００２０】
浴槽２の長辺側の壁部１３に吸込み口１を設けるに当り、洗い場に面する方の長辺側の壁部１３に吸込み口１が設けてあり、該吸込み口１とポンプ６とが吸込み配管１６により連通接続してあり、吸込み配管１６の途中に空気混入部５が設けてある。
【００２１】
長辺寄りの手前側となるように配置したポンプ６と、短辺寄りの奥側に配置した気液溶解タンク７とは接続配管１７により連通接続してある。
【００２２】
短辺寄りの奥側に配置した気液溶解タンク７の下部には奥側に向けて出口部１１が突設してあり、この出口部１１に浴槽２の短辺側の壁部１２に設けた噴出口３が直結してある。また、短辺寄りの奥側に配置した気液溶解タンク７の上部には空気抜き部１８が奥側に突設してある。このように空気抜き部１８を奥側に突設することで、洗い場側からポンプ６、気液溶解タンク７を点検する際に空気抜き部１８が邪魔にならない。
【００２３】
本発明においては、上記のように、気液溶解タンク７の奥側に向けて突設した出口部１１に浴槽２の短辺側の壁部１２に設けた噴出口３を直結してあるので、従来のように気液溶解タンク７の出口部１１と噴出口３とを連通接続するための配管を必要としない。
【００２４】
そして、上記の吸込み口１、吸込み配管１６、ポンプ６、接続配管１７、気液溶解タンク７、噴出口３により、浴槽２内の湯水を循環させるための一連の循環流路４が形成される。
【００２５】
ポンプ６を運転すると、循環流路４に吸込み口１から浴槽２内の湯水が吸込まれる。このように湯水が循環流路４内を流れると、空気混入部５を構成するエゼクタ構造部分を流れる水流によって空気吸込み管１４から空気が吸込まれて浴水中に空気が混入されることで空気混合湯水となり、この空気混合湯水がポンプ６により加圧されて気液溶解タンク７に送られ、気液溶解タンク７でバブリングされて溶解されることで空気が湯水内に溶解して空気溶解湯水となり、この空気溶解湯水が噴出口３から噴出する際に減圧されることで、湯水に溶解していた空気が平均気泡径が約１０μｍ〜２０μｍの微細気泡となって析出して浴槽２内に吐出する。このようにして生成された微細気泡を浴槽２内に吐出すると、平均気泡径が約１０μｍ〜２０μｍの微細気泡は気泡径が極めて小さくて分散性、浮遊性に優れているため、水面に上昇して破泡するまでに時間がかかり、浴槽２内の湯水の隅々まで隈なく分散して牛乳風呂のような不透明の乳白色の白濁湯となる。
【００２６】
上記のような微細気泡発生装置付き浴槽において、本発明においては、フランジ部９の長辺と短辺とのなすコーナ部分の下方のコーナ空間１０に、気液溶解タンク７とポンプ６とを配置しているので、フランジ部９の最も巾が広い部分の下方空間に気液溶解タンク７とポンプ６とを配置できて、大型の浴槽２でなくとも微細気泡発生装置を配置できるのである。
【００２７】
ここで、図１、図２に示す実施形態においては、浴槽２は既に述べたように壁部は角がないように平面視でコーナ部分が弧状をしていることに加え、長辺側の壁部１３、短辺側の壁部１２のいずれも弧状をしており、対向する長辺側の壁部１３間の寸法は長辺側の壁部１３の長辺側の巾方向のセンター間で最も長く、また、対向する短辺側の壁部１２間の寸法は短辺側の壁部１２の短辺側の巾寸法のセンター間で最も長くなっている。また、既に述べたようにフランジ部９の短辺側の外側縁は長辺側の外側縁に対して直角となった直線状となっている。したがって、フランジ部９の短辺側における巾は短辺側のセンター部分が最も狭くなっており、コーナ側に行くほど広くなっている。
【００２８】
このような寸法関係において、図１、図３に示す実施形態においては浴槽２の短辺側の壁部１２に噴出口３を設けるに当り、噴出口３の取付け位置の中心を浴槽２の短辺側の巾方向のセンター（図１、図３において浴槽２の短辺側の巾方向のセンター線をＬで示す）よりも気液溶解タンク７側（つまり洗い場側）に寸法Ｍだけずらしてある。
【００２９】
上記のように、図１、図３に示すように短辺側においてフランジ部９巾の最も狭いところである短辺側の巾方向のセンターを避けて噴出口３を気液溶解タンク７側にずらすことで、出口部１１に噴出口３を接続した状態で、気液溶解タンク７をコーナ空間１０のより広い所に位置するように手前側にできるだけずらして配置することが可能となり、これにより更に小型の浴槽２であってもコーナ空間１０に気液溶解タンク７を配置できて微細気泡発生装置付きの浴槽とすることができるものである。
【００３０】
また、添付図面に示す実施形態においては、図４に示すように、気液溶解タンク７は湯水中に空気が混合した空気混合浴水をバブリングすることで気体を浴水中に溶解させるためのバブリング槽７ａと水位検知槽７ｂとを仕切り板７ｃにより仕切ることで構成してあり、水位検知槽７ｂの側面上部には側上方に向けて上端に余剰となった未溶解の空気を排出するための空気抜き弁１９を有するＬ状管よりなる空気抜き部１８が突設してあり、水位検知槽７ｂの側部の下部に出口部１１が突設した構造となっており、水位検知槽７ｂはバブリング槽７ａよりも容積が小さく、図４（ｂ）に示すように、平面視における水位検知槽７ｂの巾寸法Ｄ１はバブリング槽７ａの巾寸法Ｄ２よりも小さくなっている。したがって、図１、図３に示すように、短辺寄りの奥側に気液溶解タンク７を配置するに当って、巾寸法が大きいバブリング槽７ａを手前側（洗い場側）に位置させると共に巾寸法が小さい水位検知槽７ｂ側を奥側に位置させるようにして出口部１１、空気抜き部１８を奥側に突出させることで、コーナ空間１０のうちフランジ部９の巾の狭い方の下方に巾の狭い水位検知槽７ｂが位置することになり、この点でもフランジ部９の巾の小さい小型の浴槽２であってもコーナ空間１０に気液溶解タンク７を配置できて微細気泡発生装置付きの浴槽とすることができるものである。
【図面の簡単な説明】
【００３１】
【図１】本発明の微細気泡付き浴槽の一実施形態の平面図である。
【図２】同上の洗い場側から見た正面図である。
【図３】同上の側面図である。
【図４】同上に用いる気液溶解タンクを示し、（ａ）は縦断面図であり、（ｂ）は同上の平面図である。
【符号の説明】
【００３２】
１  吸込み口
２  浴槽
３  噴出口
４  循環流路
５  空気混入部
６  ポンプ
７  気液溶解タンク
８  微細気泡発生装置
９  フランジ部
１０  コーナ空間
１１  出口部
１２  短辺側の壁部
【図１】
2007296236.tif 000003
【図２】
2007296236.tif 000004
【図３】
2007296236.tif 000005
【図４】
2007296236.tif 000006